(57)【要約】      （修正有）【課題】位置合わせ機能を有して接続に係る位置精度の吸収を図るとともに、接続作業性の向上も図ることが可能な電気接続構造を提供する。【解決手段】電線９を圧着した雌型端子７をキャビティ６の端子収容室１１に収容するとともに、電線９を接続回路８の圧接部１７に圧接すると、キャビティ装置２側の組み付けが完了する。キャビティ装置２及びソレノイドバルブ１を移動させてこれらの接続を行うと、ソレノイドバルブ１の雄型端子３が差し込み口を介して端子収容室１１に差し込まれ、そして、雌型端子７に接続される。ソレノイドバルブ１又はキャビティ装置２に多少の位置ズレがあったとしても、キャビティ６は接続に係る位置精度を吸収するように可動する。また、電線９はキャビティ６の可動に伴い余長２０の範囲内で追従する。【選択図】図３
2011040181.tif 000002
【特許請求の範囲】
【請求項１】
雄型端子・雌型端子のいずれか一方の端子を収容するキャビティを複数の薄肉連結片にてベース部材に連結することにより前記キャビティを可動構造に形成し、且つ、前記ベース部材に所望の接続回路を設けるとともに余長を有する電線を備え、且つ、該余長を有する電線にて前記一方の端子と前記接続回路とを接続する
ことを特徴とする電気接続構造。
【請求項２】
請求項１に記載の電気接続構造において、
前記接続回路に前記余長を有する電線を圧接するための圧接部を設ける
ことを特徴とする電気接続構造。
【発明の詳細な説明】
【技術分野】
【０００１】
本発明は、溶接を施さずに電気的な接続を行う電気接続構造に関する。
【背景技術】
【０００２】
下記特許文献１には電磁弁ユニットに係る技術が開示されている。また、電磁弁の端子とバスバーとを電気的に接続するための構造に係る技術も開示されている。電磁弁ユニットにおける電磁弁は、ユニットの各種構成の組み付け方向に沿って突出する雄型端子を有している。バスバーは、上記組み付け方向に直交する面に沿って配索されている。バスバーは、所望のパターンを有している。バスバーには、上記組み付け方向に折曲形成されるタブが設けられている。電磁弁の雄型端子とバスバーのタブは、共に同じ方向を向いており、端子側面とタブ側面とを接触させた上で溶接により（又は半田付けにより）接続されている。
【先行技術文献】
【特許文献】
【０００３】
【特許文献１】特開平７−２４８０６８号公報
【発明の概要】
【発明が解決しようとする課題】
【０００４】
ところで、上記従来技術にあっては、電磁弁の雄型端子とバスバーのタブとの位置精度を高めておく必要がある。何故ならば、位置精度を高めておかないと組み付け時に端子側面及びタブ側面の間に開きが生じ、この後に溶接又は半田付けを施す作業の前に、端子側面及びタブ側面を接触させなければならないという面倒な作業が発生してしまうからである。上記従来技術は改善の余地を有している。尚、上記従来技術において、溶接又は半田付けは面倒な作業である。
【０００５】
本発明は、上記した事情に鑑みてなされたもので、位置合わせ機能を有して接続に係る位置精度の吸収を図るとともに、接続作業性の向上も図ることが可能な電気接続構造を提供することを課題とする。
【課題を解決するための手段】
【０００６】
上記課題を解決するためになされた請求項１記載の本発明の電気接続構造は、雄型端子・雌型端子のいずれか一方の端子を収容するキャビティを複数の薄肉連結片にてベース部材に連結することにより前記キャビティを可動構造に形成し、且つ、前記ベース部材に所望の接続回路を設けるとともに余長を有する電線を備え、且つ、該余長を有する電線にて前記一方の端子と前記接続回路とを接続することを特徴とする。
【０００７】
このような特徴を有する本発明によれば、電気的な接続を雄型端子・雌型端子にて行う構造になる。電気的な接続に溶接又は半田付けを採用しないことから、容易な接続となる構造になる。また、本発明によれば、一方の端子を収容するキャビティに対し、他方の端子を挿入するような、若しくは他方の端子を有するコネクタを嵌合させるような接続となる構造になる。キャビティに対し位置ズレが生じている場合には、キャビティの可動によって位置ズレが吸収されるとともに、この時に余長の範囲内で電線がキャビティの可動に追従する構造になる。キャビティの可動に伴い余長の範囲内で電線が追従することから、キャビティの可動自体がベース部材の接続回路に支障を来すことのない構造になる。
【０００８】
請求項２記載の本発明の電気接続構造は、請求項１に記載の電気接続構造において、前記接続回路に前記余長を有する電線を圧接するための圧接部を設けることを特徴とする。
【０００９】
このような特徴を有する本発明によれば、余長を有する電線の一端が一方の端子に圧着又は圧接され、他端がベース部材における接続回路の圧接部に圧接される。
【発明の効果】
【００１０】
請求項１に記載された本発明によれば、位置合わせ機能を有して接続に係る位置精度の吸収を図るとともに、接続作業性の向上も図ることが可能な電気接続構造を提供することができるという効果を奏する。
【００１１】
請求項２に記載された本発明によれば、接続作業性の更なる向上を図ることができるという効果を奏する。
【図面の簡単な説明】
【００１２】
【図１】本発明の電気接続構造を示すソレノイドバルブ及びキャビティ装置の斜視図（接続後の状態）である。
【図２】（ａ）は図１の平面図、（ｂ）は図１の側面図である。
【図３】（ａ）はソレノイドバルブ及びキャビティ装置の斜視図（接続前の状態）、（ｂ）はソレノイドバルブ及びキャビティ装置の側面図（接続前の状態）である。
【図４】キャビティ及びベース部材の図であり、（ａ）は平面図、（ｂ）は側面図である。
【図５】（ａ）は雌型端子の斜視図、（ｂ）は接続回路の拡大斜視図である。
【発明を実施するための形態】
【００１３】
以下、図面を参照しながら一実施形態を説明する。図１ないし図３は本発明の電気接続構造を示すソレノイドバルブ及びキャビティの図である。また、図４（ａ）及び（ｂ）はキャビティの図、図５（ａ）は雌型端子の図、図５（ｂ）は接続部の図である。尚、図１中における矢印は、上下方向、左右方向、前後方向を示すものと定義する。
【００１４】
図１ないし図３において、引用符号１はソレノイドバルブ、引用符号２はキャビティ装置をそれぞれ示している。本形態の例は一例であるものとする。ソレノイドバルブ１は、Ｌ字のピン形状に形成される一対の雄型端子３を有している。一対の雄型端子３は、導電性を有しており、この先端が上方を向くように配置形成されている。また、一対の雄型端子３は、所定の間隔で左右方向に並ぶように配置されている。
【００１５】
キャビティ装置２は、合成樹脂製のベース部材４と、複数の薄肉連結片５にてベース部材４に連結されるキャビティ６と、このキャビティ６に収容固定される一対の雌型端子７と、ベース部材４に設けられる一対の接続回路８と、対応する雌型端子７及び接続回路８を接続する一対の電線９とを備えて構成されている。
【００１６】
図１、図２、及び図４において、ベース部材４は、キャビティ６を可動構造にするためのベースとなる部分であって、基本的に不動となるように形成されている。ベース部材４は、本形態において平板状に形成されている（平板状となる形状は一例であって、例えばキャビティ６の周りを囲むようなハウジング形状に形成してもよいものとする）。
【００１７】
ベース部材４には、平面視長方形状の貫通孔１０が形成されている。この貫通孔１０における四つの辺には、それぞれ薄肉連結片５の一端が連成されている。薄肉連結片５は、薄肉であって、平面視Ｓ字状に形成されている（Ｓ字状は一例であるものとする。薄肉連結片５は一つの辺に複数設けてもよいものとする）。薄肉連結片５は、樹脂バネとしての機能を有している。このような薄肉連結片５の他端には、キャビティ６が連成されている。キャビティ６は、複数の薄肉連結片５により前後左右方向へ可動可能に連結されている（薄肉連結片５の上下方向の厚みを調整することにより、キャビティ６を上下方向へ可動可能に連結してもよいものとする）。
【００１８】
キャビティ６は、ソレノイドバルブ１の数や配置に応じて備えられている。キャビティ６の外観は、上下方向に長い略直方体となる形状に形成されている。キャビティ６は、一対の端子収容室１１を有している。一対の端子収容室１１は、上下方向に沿って真っ直ぐのびるように形成されている。キャビティ６の下端には、ソレノイドバルブ１の雄型端子３を導入するための差し込み口１２が形成されている。差し込み口１２は、キャビティ６の下端を貫通して端子収容室１１に連通するように形成されている。尚、キャビティ６の上端は、ベース部材４の上面１３に対して同一平面となるように配置形成されている。
【００１９】
キャビティ６は、ベース部材４の下面１４から下方へ突出するように形成されている。ベース部材４の下面１４には、ソレノイドバルブ１の上部１５が対向するようになっている。ベース部材４の上面１３には、一対の接続回路８が設けられている（特に限定するものでないが、インサート成形により設けられている）。
【００２０】
図１及び図５（ｂ）において、接続回路８は、所望の経路となる接続回路本体１６と、端部位置に設けられる圧接部１７とを有している。本形態の接続回路本体１６は、導電性を有するバスバーにて形成されている（一例であるものとする）。圧接部１７は、対応する電線９の一端を圧接することができるように形成されている。圧接部１７は、接続回路本体１６の端部を略直角に折り曲げて形成されている。
【００２１】
図３及び図５（ａ）において、雌型端子７は、導電性を有する金属薄板をプレス加工することにより形成されている。雌型端子７は、ソレノイドバルブ１の雄型端子３に対する接続部分として形成される電気接触部１８と、対応する電線９の他端を圧接続する部分として形成される電線接続部１９とを有している。電線９は、上記の如く、対応する雌型端子７及び接続回路８を接続するためのものであって、余長２０を持たせて形成されている。電線９は、余長２０を有することから、本形態においては接続時にブリッジ形状となるように形成されている。すなわち、ベース部材４の上面１３において接続回路８までの最短の長さではなく、十分に余裕を持たせた長さに形成されている。
【００２２】
上記構成及び構造において、電線９を圧着した雌型端子７（図３参照）をキャビティ６の対応する端子収容室１１に収容するとともに（図１及び図２参照）、電線９を接続回路８の対応する圧接部１７に圧接すると、キャビティ装置２側の組み付けが完了する。このようなキャビティ装置２に対して、キャビティ装置２及びソレノイドバルブ１を図３の矢印方向（上下方向）に移動させてこれらの接続を行うと、ソレノイドバルブ１の雄型端子３が差し込み口１２を介して端子収容室１１に差し込まれ、そして、雌型端子７に接続される。ソレノイドバルブ１とキャビティ装置２との接続は容易に完了する（従来例のような溶接又は半田付けを施す必要はない）。
【００２３】
本発明によれば、ソレノイドバルブ１又はキャビティ装置２に多少の位置ズレがあったとしても、キャビティ６が接続に係る位置精度を吸収するように可動することから、作業性に影響を来すことはない。
【００２４】
また、本発明によれば、キャビティ６の可動に伴い余長２０の範囲内で電線９が追従することから、キャビティ６の可動自体がベース部材４の接続回路８に支障を来すことはない。
【００２５】
本発明は本発明の主旨を変えない範囲で種々変更実施可能なことは勿論である。
【００２６】
本発明は、自動車の分野や家電品の分野等に適用可能であるものとする。自動車の分野に適用する場合には、従来例のような電磁弁ユニットや、電気接続箱（Ｊ／Ｂ：ジャンクションボックスや、Ｒ／Ｂ：リレーボックス、ＥＣＵ等の車両用電気部品内蔵機器）に対して適用することが好適であるものとする。
【符号の説明】
【００２７】
１…ソレノイドバルブ
２…キャビティ装置
３…雄型端子
４…ベース部材
５…薄肉連結片
６…キャビティ
７…雌型端子
８…接続回路
９…電線
１０…貫通孔
１１…端子収容室
１２…差し込み口
１３…上面
１４…下面
１５…上部
１６…接続回路本体
１７…圧接部
１８…電気接触部
１９…電線接続部
２０…余長
【図１】
2011040181.tif 000003
【図２】
2011040181.tif 000004
【図３】
2011040181.tif 000005
【図４】
2011040181.tif 000006
【図５】
2011040181.tif 000007